(57)【要約】      （修正有）【課題】可動支持棒を移動させることで、座式或いは立式となる子供用両用三輪スケートボードを提供する。【解決手段】子供用両用三輪スケートボードには、第一横棒１２と、第二横棒１３と、第三横棒１４を配置し、ハンドル３０を嵌設し、前輪４１を配置した前フォーク４０を備え、第三横棒の両側にそれぞれ後輪４２を備えるメインフレーム１０と、二つの平行する引掛体５１を第一横棒或いは第二横棒に引き掛ける可動板体５０と、可動板体上に固定するブレーキ蓋６０と、一端を第二横棒に枢設し、他の一端を可動板体に枢設し、可動板体の荷重を支える可動支持棒８０とを含む。【選択図】図３
0003172689.tif 000002
【実用新案登録請求の範囲】
【請求項１】
平行する二つの棒体を備え、棒体間に設けた第一横棒と第二横棒と第三横棒はそれぞれ、二つの棒体間に連結し、棒体上端には第一前固定体と第二前固定体をそれぞれ嵌設し、第一前固定体上にはハンドルを嵌設し、ハンドル下方には前輪を備えた前フォークを嵌設し、前フォークを第二前固定体に貫通させ、第三横棒の両側には後輪をそれぞれ枢設するメインフレームと、
直接メインフレームの棒体上に配置し、前端には、二つの平行する引掛体を備え、実際の使用状況に応じて、引掛体を第一横棒或いは第二横棒に引き掛け、また、傾斜部に相対する位置には、ピン孔を備えた少なくとも一つの定位片を設ける可動板体と、
両側に輪弧体を設け、可動板体上に固定するブレーキ蓋と、
両端にはそれぞれ、ピン孔を設けた第一湾曲部と第二湾曲部を備え、第一湾曲部が第二横棒に枢設されているため、第二横棒に枢設した第一湾曲部を中心点として回転し、第二湾曲部は、可動板体の二つの定位片の間に配置し、尚且つ、ピンを定位片と第二湾曲部に挿設することにより、第二湾曲部と可動板体に枢設形態を形成して可動板体を支え、二つの湾曲部によって取り付けが簡単になり、可動板体とは安全距離が保たれるため、操作時に手が挟まれることを防ぐ効果を備える可動支持棒と、
を含む子供用両用三輪スケートボード。
【請求項２】
前記第一前固定体は三角形をなし、三つの角にはそれぞれ貫通穴を設け、その内の二つの貫通穴には二つの棒体を挿設し、第二前固定体は三角形をなし、一つの角に貫通穴を設け、その二つの角にはそれぞれ非貫通穴を設け、二つの棒体の頂部で支えることを特徴とする請求項１に記載の子供用両用三輪スケートボード。
【請求項３】
前記ハンドルの両端にはそれぞれハンドルグリップを嵌設し、ハンドルの中央には支持棒を設け、その内側には嵌制部材を取り付けることを特徴とする請求項２に記載の子供用両用三輪スケートボード。
【請求項４】
前記前フォークには、第一穴と第二穴を設け、嵌制部材を第一穴、第二穴位置に嵌合定位することにより、ハンドルに昇降調整作用を備えさせることを特徴とする請求項３に記載の子供用両用三輪スケートボード。
【請求項５】
前記可動板体の後方に傾斜部を設け、傾斜部には少なくとも一つの深穴を配置し、可動板体下方に備えた交差する骨体によって、可動板体の強度が高められ、支える荷重を増加させることを特徴とする請求項４に記載の子供用両用三輪スケートボード。
【請求項６】
深穴に対応する前記ブレーキ蓋下方箇所には、螺孔を備える少なくとも一つの突出柱を配置し、突出柱を深穴内に取り付け、ボルトを螺孔に螺着すると、ブレーキ蓋は可動板体上に固定されることを特徴とする請求項４に記載の子供用両用三輪スケートボード。
【請求項７】
前記ブレーキ蓋の輪弧体には、アルミ製のブレーキ片を内設することを特徴とする請求項６に記載の子供用両用三輪スケートボード。
【請求項８】
前記第一前固定体と第二前固定体には前蓋を嵌設し、前蓋の内側に設けた複数個の定位フックが、支持棒、二つの棒体、前フォークにそれぞれ定位することにより、第一前固定体及び第二前固定体と支持棒、二つの棒体と前フォークを保護するだけでなく、美観を備えた装飾を付け加えることを特徴とする請求項４に記載の子供用両用三輪スケートボード。
【請求項９】
前記前フォーク上には二つの固定片を嵌設し、その位置はちょうど、第一前固定体の上下とし、二つの固定片によって、第一前固定体における前フォークの安定性をさらに高め、揺動しないようにすることを特徴とする請求項４に記載の子供用両用三輪スケートボード。
【請求項１０】
前記第二横棒には、少なくとも一つの位置制限キャップを嵌設して、第二横棒上に枢設した可動支持棒の左右偏移を防ぎ、尚且つ、引掛体の位置制限キャップへの引き掛けを簡単にすることを特徴とする請求項４に記載の子供用両用三輪スケートボード。
【考案の詳細な説明】
【技術分野】
【０００１】
本考案は、子供用三輪スケートボードに関し、特に、可動支持棒の移動と、可動板体の引掛体の引き掛けの変化を利用することにより、本考案を座式および立式機能を備えさせる子供用両用三輪スケートボードに係る。
【背景技術】
【０００２】
一般に、大人は、子供に歩く練習をさせる前に、子供を歩行器に乗せ、遊ばせながら歩く練習をさせる。それと同様に、自転車に乗る練習をさせる前には、子供を三輪車（図１参照）に乗せ、遊ばせながら三輪車のペダルの踏み方を学ばせる。子供が少し大きい場合は、スケートボードに乗せ（図２参照）、遊ばせながら、一方の足をスケートボード上に置き、もう一方の足で地面をキックし、そのバランスを訓練するため、充分な楽しみと練習効果を備える。
【０００３】
しかし、現在、居住空間は大きくなく、三輪車とスケートボードの両方を購入する二重購買費と大きな保管場所を確保することは、一般家庭には困難で、いかに上述の問題点を解決するかが大きな課題となっている。
【考案の概要】
【考案が解決しようとする課題】
【０００４】
本考案は、可動支持棒の移動と、可動板体の引掛体を異なる横棒に引き掛ける変化によって、本考案に、座式と立式の両用三輪スケートボード機能を備えさせることを主な目的とする。
【課題を解決するための手段】
【０００５】
前記目的を達成するために、本考案は、次の構成要素を含む。メインフレームは、平行する二つの棒体を備え、棒体間に設けた第一横棒と、第二横棒と、第三横棒は、二つの棒体間にそれぞれ連結する。棒体上端にはそれぞれ第一前固定体と第二前固定体を嵌設し、第一前固定体上にはハンドルを嵌設し、ハンドル下方には前輪を備えた前フォークを嵌設し、前フォークを第二前固定体に貫通させ、第三横棒の両側には後輪をそれぞれ枢設する。  
【０００６】
可動板体は、直接メインフレームの棒体上に配置する。可動板体の前端には、二つの平行する引掛体を備え、実際の使用状況に応じて、引掛体を第一横棒或いは第二横棒に引き掛ける。また、可動板体の傾斜部に相対する位置には、ピン孔を備えた少なくとも一つの定位片を設ける。
【０００７】
ブレーキ蓋の両側にはそれぞれ輪弧体を設け、ブレーキ蓋は可動板体上に固定する。
【０００８】
可動支持棒の両端にはそれぞれ、ピン孔を設けた第一湾曲部と第二湾曲部を備える。第一湾曲部が第二横棒に枢設されているため、可動支持棒は、第二横棒に枢設した第一湾曲部を中心点として回転する。第二湾曲部は、ピンで可動板体のピン孔に枢設し、可動板体の荷重を支える。並びに、二つの湾曲部によって、可動支持棒の取り付けを簡単にし、可動板体とは安全距離が保たれるため、操作時に手を挟まれてしまうことを防ぐ効果を備える。
【考案の効果】
【０００９】
本考案の子供用両用三輪スケートボードは、可動支持棒の移動と、可動板体の引掛体を第一横棒、第二横棒に引き掛ける変化によって、座式と立式機能を同時に備えさせる両用三輪スケートボードであり、三輪車とスケートボード購入費用を節約し、保存スペース利用を改善することができる。
【図面の簡単な説明】
【００１０】
【図１】従来の子供用三輪車の外観図である。
【図２】従来の子供用スケートボードの外観図である。
【図３】本考案の立体分解図である。
【図４】本考案のブレーキ蓋を他の角度から見た図である。
【図５】本考案の可動板体を他の角度から見た図である。
【図６】本考案の組立図である。
【図７】本考案の一部平面断面図である。
【図８】本考案のハンドルと可動板体を下方向に移動させた状態を示す図である。
【図９】本考案のブレーキ動作を示す図である。
【図１０】本考案の可動板体を棒体上に配置した前方部を示す図である。
【図１１】本考案の可動板体を棒体上に配置した後方部を示す図である。
【考案を実施するための形態】
【実施例】
【００１１】
図３乃至図７に示すとおり、本考案は、次の構成要素を含む。
【００１２】
メインフレーム１０は、平行する二つの棒体１１を備え、棒体１１の間に設けた第一横棒１２と、第二横棒１３と、第三横棒１４は、二つの棒体１１の間にそれぞれを連結する。棒体１１上端にはそれぞれ第一前固定体２０と第二前固定体２１を嵌設し、第一前固定体２０上にはハンドル３０を嵌設し、ハンドル３０下方には前輪４１を備えた前フォーク４０を嵌設し、前フォーク４０を第二前固定体２１に貫通させ、第三横棒１４の両側にはそれぞれ後輪４２を枢設する。
【００１３】
第一前固定体２０は三角形をなし、三つの角にはそれぞれ貫通穴２０１を設け、その内の二つの貫通穴２０１に二つの棒体１１を挿設する。
【００１４】
第二前固定体２１は三角形をなし、一つの角には貫通穴２１１を設け、その二つの角にはそれぞれ非貫通穴２１２を設け、二つの棒体１１の頂部で支える。
【００１５】
ハンドル３０の両端にはそれぞれハンドルグリップ３１を嵌設し、ハンドル３０中央には支持棒３２を設け、その内側には嵌制部材３３を取り付ける。
【００１６】
前フォーク４０には第一穴４３と第二穴４４を設け、嵌制部材３３は、第一穴４３、第二穴４４位置に嵌合固定されるため、ハンドル３０には、昇降調整作用が備えられる。
【００１７】
可動板体５０の前端には、二つの平行する引掛体５１を配置し、実際の使用状況に応じて、引掛体５１を第一横棒１２或いは第二横棒１３に引き掛け、引掛体５１に相対する後方に傾斜部５２を設け、傾斜部５２上には三つの深穴５３を配置し、可動板体５０下方には、交差する骨体５４を備え、可動板体５０の強度を高め、それが支える荷重を増加させる。また、可動板体５０の傾斜部５２に相対する位置には、ピン孔５６を備えた二つの定位片５５と二つの強化部５７を設ける故、可動板体５０の強度をさらに強化し、それが支える荷重を増加する。
【００１８】
ブレーキ蓋６０は、両側にそれぞれブレーキ片６１を備えた輪弧体６２を設ける。ブレーキ片６１はアルミ製品であるため、輪弧体６２の磨耗を防ぐ。深穴５３に対応するブレーキ蓋６０下方には、螺孔６３を備える少なくとも一つの突出柱６４を配置し、突出柱６４を深穴５３内に取り付け、ボルト６５を螺孔６３に螺着すると、ブレーキ蓋６０は可動板体５０上に固定される。
【００１９】
可動支持棒８０の両端にはそれぞれ、ピン孔８１、ピン孔８２を設けた第一湾曲部８３と第二湾曲部８４を備える。第一湾曲部８３が第二横棒１３に枢設されているため、可動支持棒８０は、第二横棒１３に枢設した第一湾曲部８３を中心点として回転する。第二湾曲部８４は、可動板体５０を支える二つの定位片５５の間に配置し、ピン８５を二つの定位片５５のピン孔５６及び第二湾曲部８４のピン孔８２に挿入することにより、可動支持棒８０の頂部を支え可動板体５０を連動させる目的を果たす。
【００２０】
また、第二横棒１３には、少なくとも一つの位置制限キャップ１３１を嵌設し、第二横棒１３上に枢設した可動支持棒８０の左右偏移を防ぎ、尚且つ、引掛体５１の位置制限キャップ１３１への引き掛けを簡単にする。
【００２１】
前フォーク４０上には、二つの固定片４５を嵌設し、その位置は、ちょうど第一前固定体２０の上下とし、二つの固定片４５によって、第一前固定体２０における前フォーク４０の安定性をさらに高め、揺動しないようにする。
【００２２】
第一前固定体２０、第二前固定体２１を前蓋２３に嵌設し、前蓋２３の内側には複数個の定位フック２３１を設ける。定位フック２３１が、支持棒３２、棒体１１、前フォーク４０をそれぞれ定位することにより、第一前固定体２０、第二前固定体２１と支持棒３２、二つの棒体１１と前フォーク４０を保護するだけでなく、美観を備えた装飾を添加する。
【００２３】
図３乃至図９に示すとおり、上述の部材を用いて本考案を構成する。メインフレーム１０上端にはそれぞれ、第一前固定体２０と第二前固定体２１を嵌設し、第一前固定体２０上にはハンドル３０を嵌設し、ハンドル３０下方には、前輪４１を備えた前フォーク４０を嵌設する。また、第三横棒１４の両側には後輪４２を枢設し、前フォーク４０の第一穴４３、第二穴４４には、嵌制部材３３を嵌合定位させることにより、ハンドル３０には昇降調整作用が生じ、使用者の身長に応じられる。さらに、前蓋２３を第一前固定体２０、第二前固定体２１前に嵌設し、外観装飾効果を果たす。
【００２４】
可動板体５０の引掛体５１を第一横棒１２に引き掛け（図６参照）、ブレーキ蓋６０を可動板体５０上に固定する。可動支持棒８０の第一湾曲部８３を第二横棒１３に枢設し、第二湾曲部８４を可動板体５０に枢設することにより、可動板体５０の荷重を支えることができる。
【００２５】
以上により、子供を可動板体５０に座らせて、ハンドル３０を手操作すると、子供は両足を地上で動かすことができる。
【００２６】
或いは、図８に示すとおり、第一横棒１２上に引き掛けた引掛体５１をはずし、それと同時に可動支持棒８０を動かして、第二横棒１３に枢設した第一湾曲部８３を中心点として回転させると、可動板体５０は下方向に移動する。さらに、第一横棒１２上の引掛体５１を第二横棒１３の位置制限キャップ１３１上に引き掛けなおすと、子供は可動板体５０上に立つことができ、手でハンドル３０を操作して滑る時には、片足を可動板体５０上に乗せ、もう一方の足を使って地面を滑る。
【００２７】
図１０、図１１に示すとおり、第一横棒１２上の引掛体５１を取り外すとともに、可動支持棒８０を動かして、第二横棒１３に枢設した第一湾曲部８３を中心点として回転させると、可動板体５０は下方向に移動する。この時、可動板体５０はちょうど、骨体５４を通して直接棒体１１上に密着し、相当な支持強度を提供するため、子供は、可動板体５０上に安全な状態で立って本考案を使用できる。
【００２８】
同時に、本考案を使用する過程でブレーキをかけたい場合は、足でブレーキ蓋６０を踏むと、輪弧体６２内のブレーキ片６１が後輪４２を圧制し、相互に摩擦が生じ、ブレーキ目的を果たす。
【００２９】
よって、本考案は、可動支持棒の移動と、可動板体の引掛体を第一横棒、第二横棒に引き掛ける変化によって、座式と立式機能を同時に備えさせる両用三輪スケートボードであり、三輪車とスケートボード購入費用を節約し、保存スペース利用を改善することができる。
【符号の説明】
【００３０】
１０  メインフレーム
１１  棒体
１２  第一横棒
１３  第二横棒
１４  第三横棒
２０  第一前固定体
２０１  貫通穴
２１  第二前固定体
２１２  非貫通穴
２３  前蓋
２３１  定位フック
３０  ハンドル
３１  ハンドルグリップ
３２  支持棒
３３  嵌制部材
４０  前フォーク
４１  前輪
４２  後輪
４３  第一穴
４４  第二穴
５０  可動板体
５１  引掛体
５２  傾斜部
５３  深穴
５４  骨体
５５  定位片
５６  ピン孔
５７  強化部
６０  ブレーキ蓋
６１  ブレーキ片
６２  輪弧体
６３  螺孔
６４  突出柱
６５  ボルト
８０  可動支持棒
８１  ピン孔
８２  ピン孔
８３  第一湾曲部
８４  第二湾曲部
８５  ピン
１３１  位置制限キャップ
【図１】
0003172689.tif 000003
【図２】
0003172689.tif 000004
【図３】
0003172689.tif 000005
【図４】
0003172689.tif 000006
【図５】
0003172689.tif 000007
【図６】
0003172689.tif 000008
【図７】
0003172689.tif 000009
【図８】
0003172689.tif 000010
【図９】
0003172689.tif 000011
【図１０】
0003172689.tif 000012
【図１１】
0003172689.tif 000013